(57)【要約】【課題】多数のポイントカードを常時携帯することなく、複数の店舗でポイントサービスを受けることを可能にすると共に、プライバシーを考慮し、ポイントカード紛失時の不正利用による損失を抑制することが可能なポイントカード管理システムを得る。【解決手段】ポイントカード管理システムにおいて、ポイントを記録可能とする複数のＩＣカードと、前記各ＩＣカードの識別子と、店舗サービス識別子の組み合わせに対して、前記ポイントを参照、加算、減算させる機能を有するインターネット上のポイント管理サーバとを備え、前記ＩＣカードは、少なくとも１以上の親カードと複数の子カードに分類され、前記親カードは、前記子カードにより当該子カードのポイントを使用可能とする「使用権」が設定される。【選択図】図１
2014134849.tif 000002
【特許請求の範囲】
【請求項１】
ポイントを記録可能とする複数のＩＣカードと、
前記各ＩＣカードの識別子と、店舗サービス識別子の組み合わせに対して、前記ポイントを参照、加算、減算させる機能を有するインターネット上のポイント管理サーバとを備え、
前記ＩＣカードは、少なくとも１以上の親カードと複数の子カードに分類され、
前記親カードは、前記子カードにより当該子カードのポイントを使用可能とする「使用権」が設定される
ことを特徴とするポイントカード管理システム。
【請求項２】
前記親カードは、複数個存在する請求項１に記載のポイントカード管理システム。
【請求項３】
複数の親カード内で、一方の親カードが、他方の親カードにより当該他方の親カードのポイントを使用可能とする「使用権」が設定される請求項２に記載のポイントカード管理システム。
【請求項４】
一方の親カードに設定された「使用権」は、他方の親カードに付与されたポイントを使用可能とするものである請求項３に記載のポイントカード管理システム。
【請求項５】
一方の親カードに設定された「使用権」は、他方の親カードに付与されたポイント及び当該他方の親カードの子カードに付与されたポイントを使用可能とするものである請求項３に記載のポイントカード管理システム。
【請求項６】
前記親カードは、ＩＣカードを内蔵した携帯端末で構成される請求項１に記載のポイントカード管理システム。
【請求項７】
少なくとも１つの子カードについて、前記ポイントを加算するチャージ専用として利用する請求項１に記載のポイントカード管理システム。
【発明の詳細な説明】
【技術分野】
【０００１】
本発明は、ポイントカードの管理システムに関し、更に詳しくは、消費者が様々な店舗から別個に受け取る複数のポイントについて、プライバシーを保護するとともに、紛失に伴う損失を抑制した様態で手軽に利用することを可能にするポイントカード管理システムに関する。
【背景技術】
【０００２】
現在の消費者は、様々な店舗で買い物をする際やサービスの提供を受ける際に、支払った金額に応じて与えられ次回以降の利用の際に特典が得られる「ポイント」を蓄積するためのカード（以下、「ポイントカード」と称する）を渡されることがある。家電量販店におけるポイントサービスや、航空会社におけるマイレージサービスは周知なものとなっている。また、クレジットカードの利用額に応じて付与されるポイントや、レンタルビデオ店で付与されるポイントについても広く知られている。 
【０００３】
ポイントカードが普及したのは、ポイントカードの利用が消費者と発行者との双方にとって利点があるからである。消費者としては、特定の店舗で商品やサービスを購入することの結果として購入額に応じた特典が得られるという利点がある。同時に、ポイントを獲得していくことに、ゲーム感覚的な楽しみも味わうことができる。
ポイントカードの発行者としては、消費行動の時系列を分析することにより、どのような商品やサービスがどのように購入されたのか、という情報を得ることができる。このような情報は、商品及びサービスの開発や営業戦略の策定の際に有用であり貴重である。
【０００４】
近年ではポイントサービスを行う店舗が増加したため、商品やサービスの購入の際に渡されるポイントカードを全て持ち歩くのは困難な状況にある。様々な店舗で渡されるポイントカードはすぐに相当な枚数になる一方、財布の容積には限りがある。また、月に一度しか行かない店のポイントカードを毎日持ち歩くのは効率の点で望ましくない。
【０００５】
そこで、この問題を解決するために、例えば特許文献１に示されるように、識別媒体（ポイントカード）と消費者と店舗とが、Ｎ：１：Ｍの関係にあるとして、ポイントカードを個人に関連付けて管理するポイント管理システムが提案されている。
【先行技術文献】
【特許文献】
【０００６】
【特許文献１】特開２０１０−２３１７７７号公報
【発明の概要】
【発明が解決しようとする課題】
【０００７】
上述したポイント管理システムによれば、ポイントカードを保持する消費者を特定し、その消費者が保有する各種ポイントを総合的に利用することができるので、消費者はどれか１枚のポイントカードを持っていれば、自分に関係するすべての店舗のポイントを自由に利用することができる。
しかしながら、このポイント管理システムによれば、ポイントカードを紛失した場合や、個人識別子の情報が漏洩した場合のプライバシー保護や損失防止の対策が十分なされていないという課題があった。
【０００８】
本発明は上記実情に鑑みて提案されたもので、多数のポイントカードを常時携帯することなく、複数の店舗でポイントサービスを受けることを可能にすると共に、プライバシーを考慮し、ポイントカード紛失時の不正利用による損失を抑制することが可能なポイントカード管理システムを提供することを目的としている。
【課題を解決するための手段】
【０００９】
上記目的を達成するため本発明のポイントカード管理システムは、ポイントを記録可能とする複数のＩＣカードと、前記各ＩＣカードの識別子と、店舗サービス識別子の組み合わせに対して、前記ポイントを参照、加算、減算させる機能を有するインターネット上のポイント管理サーバとを備え、前記ＩＣカードは、少なくとも１以上の親カードと複数の子カードに分類され、前記親カードは、前記子カードにより当該子カードのポイントを使用可能とする「使用権」が設定されることを特徴としている。
【００１０】
請求項２は、請求項１のポイントカード管理システムにおいて、前記親カードは、複数個存在することを特徴としている。
【００１１】
請求項３は、請求項２のポイントカード管理システムにおいて、複数の親カード内で、一方の親カードが、他方の親カードにより当該他方の親カードのポイントを使用可能とする「使用権」が設定されることを特徴としている。
【００１２】
請求項４は、請求項３のポイントカード管理システムにおいて、一方の親カードに設定された「使用権」は、他方の親カードに付与されたポイントを使用可能とするものであることを特徴としている。
【００１３】
請求項５は、請求項３のポイントカード管理システムにおいて、一方の親カードに設定された「使用権」は、他方の親カードに付与されたポイント及び当該他方の親カードの子カードに付与されたポイントを使用可能とするものであることを特徴としている。
【００１４】
請求項６は、請求項１のポイントカード管理システムにおいて、前記親カードは、ＩＣカードを内蔵した携帯端末で構成されることを特徴としている。
【００１５】
請求項７は、請求項１のポイントカード管理システムにおいて、少なくとも１つの子カードについて、前記ポイントを加算するチャージ専用として利用することを特徴としている。
【発明の効果】
【００１６】
本発明によるポイントカード管理システムを用いた場合、利用者は、多数のポイントカードを携帯していなくとも、親カードとして登録したＩＣカード又はＩＣカードが内蔵された携帯端末を１つ携帯していれば、どの店舗でもポイントサービスを受けることができる。 
【００１７】
また、ポイントカード管理システムによれば、カードの親子関係によってカード間のポイントをやり取りするため、個人を特定する情報は不要であり、プライバシー保護の点で望ましい。
【００１８】
多くの店舗で頻繁に提示する子カードをチャージ専用にしておけば、蓄積されたポイントは親カードから引き出すことができる一方で、子カードを紛失した場合においても、その子カードでポイントを使われてしまうことがない。
【図面の簡単な説明】
【００１９】
【図１】本発明のポイントカード管理システムの構成図である。
【図２】ポイントカード管理システムで使用されるポイントカードの親子関係の設定例を示すモデル図である。
【図３】ポイントカード管理システムで使用されるポイントカードの利用条件制約の設定例を示すモデル図である。
【図４】ポイントカード管理システムにおいて、親子カード関係の登録設定を専用端末で行う場合の手順を示すフローチャート図である。
【図５】ポイントカード管理システムにおいて、親子カード関係の解消を行う場合の手順を示すフローチャート図である。
【図６】ポイントカード管理システムにおいて、親子カード関係の解消を行う場合の他の手順を示すフローチャート図である。
【発明を実施するための形態】
【００２０】
本発明のポイントカード管理システムの実施形態の一例について、図面を参照しながら説明する。
ポイントカード管理システムは、図１に示されるように、複数のＩＣカード１と、各店舗に載置されるポイント端末２と、ポイント端末２に対してインターネット３を介して接続されたポイント管理サーバ４と、ポイント管理サーバ４に接続されたポイントカードデータベース５と、ポイント管理サーバ４に接続された購買行動履歴データベース６を備えて構成されている。
【００２１】
本発明のポイントカード管理システムは、個人識別子のような、それだけで個人を特定できるような情報をやり取りすることなく、複数のポイントカードを集約すると共に、カードを紛失した際のプライバシー情報の流出を抑制し、ポイントサービスを継続的に受けられる手段を提供するものである。また、このポイントサービスは、クラウドコンピューティング環境におけるサービスとして提供されるものとする。
【００２２】
ポイントカード管理システムで使用されるＩＣカードは、ＩＤ番号、ポイント等の種々の情報が記録されたＩＣチップや磁気記録部が内蔵された非接触式ＩＣカード又は接触式ＩＣカードで構成されている。例えば、ＩＣカードが非接触式ＩＣカードの場合、ＩＣカードを専用の読取部に対してかざすことで、情報の読み出し及び所定の操作による情報の書き換えが可能なように構成されている。
ＩＣカードは、後述するような「チャージ専用」等のカードの性質、「ロック状態」や「停止状態」等の使用条件について、変更可能に構成されている。使用条件等の変更については、パスワードを設定して行うようになっている。
【００２３】
ポイント端末２は、商品やサービスを提供する各店舗に設置され、ＩＣチップリーダー機能を有することで、ＩＣチップ内蔵カードのＩＣチップ（媒体識別子）の情報を読み取り、また、必要に応じてＩＣカードへのポイント情報の書き換え処理を行い、更には、カードの性質や使用条件の変更を行うこともできるようになっている。媒体識別子の読み取りは、ＩＣカードの種類に応じて設置された非接触式又は接触式の読取装置で行うことができる。ポイント端末２は、クレジットカードなどの読取装置やバーコードリーダなどの他の読取装置を接続してもよい。また、ポイント端末２には、キーボードなどの入力装置とディスプレイなどの表示装置を備えている。ポイント端末２で読み取られた「発生日時情報」「ポイント端末情報」「媒体識別子情報」「購入データ情報」「ポイント操作業務区分｛参照／加算（付与）／減算（還元）｝情報」は、インターネット３を介してポイント管理サーバ４へ送信される。
【００２４】
ポイント管理サーバ４は、ポイント端末２からインターネット３を介して入力された各ＩＣカードの識別子と、店舗サービス識別子の組み合わせ情報により、ポイントを参照、加算、減算させる機能を有している。
【００２５】
ポイントカードデータベース５は、ポイント管理サーバ４で管理するＩＣカードごとのポイント数等のデータを記憶するものである。すなわち、ポイント端末２においてＩＣカード１の媒体識別子を読み取ることで、ポイント管理サーバ４から付与される個人識別子によって一意的に識別され、ポイントカードデータベース５には、それぞれの利用者の個人識別子に対するポイント情報が記憶されている。
【００２６】
購買行動履歴データベース６は、ポイント管理サーバ４で抽出されたＩＣカードごとの時系列的な履歴情報を記憶するものである。これにより、ＩＣカードごとの店舗等の使用履歴を管理することができる。すなわち、ポイント端末２においてＩＣカード１の媒体識別子を読み取ることで、ポイント管理サーバ４から付与される個人識別子によって一意的に識別され、購買行動履歴データベース６には、それぞれの利用者の個人識別子に対する購買行動の履歴に関する情報が記憶されている。
以上の構成により、インターネット３上のポイント管理サーバ４によって、ＩＣカードへのポイントサービスが提供される。
【００２７】
次に、上述したＩＣカードにおける親カードと子カードの定義について説明する。
利用者は、自分が保有するカードに対して、そのカードのポイントを使用する「権利」を、自分が保有する他のカードに与えることができる。使用権を与えるカードを「子カード」、使用権を与えられたカードを「親カード」と定義する。１つのカードに対して、複数の親カードを設定することもできる。
また、複数の親カード同士の関係において、親カードの親カードを設定することもできる。この場合、一方の親カードが、他方の親カードにより当該他方の親カードのポイントを使用可能とする「使用権」が設定されることになる。
【００２８】
利用者は、１枚のカードにポイントを集めても良いし、店舗や買い物の種類に応じて、ポイントを加算する対象のカードを変えても良い。また、複数のカードに対して、特定のカードを親カードとして設定すると、その親カードを使うことで、複数のカードに付与されているポイントを、まとめて使うことができる。
【００２９】
また、複数の親カード同士で使用権を設定する場合、親カードが他の親カードのポイントを使用可能とする「使用権」の効力には、次の２種類が考えられる。
一つの例として、一方の親カードに設定された「使用権」が、他方の親カードに付与されたポイントについてのみ使用可能とする場合である。この場合、他方の親カードの子カードに付与されたポイントは使用できないものとする。
この例によれば、ポイントの使用権は、親と子の２者関係に限定されるため、ポイントの管理が明確かつ容易になるという利点を有する。
【００３０】
他の例として、一方の親カードに設定された「使用権」が、他方の親カードに付与されたポイント、及び、当該他方の親カードの子カードに付与されたポイントの両方を使用可能とする場合である。
この例によれば、親カードＡは、親カードＢに子カードに対する使用権を継承することにより、親カードＢに与えられたポイントに加えて、親カードＢの子カードに与えられたポイントも使用することができることになる。その結果、１枚のＩＣカードにポイントの使用権を集中させることで、利用者が保有する複数のＩＣカードに与えられたポイント全体を無駄なく使用することができるという利点を有する。
【００３１】
例えば、複数のＩＣカード１は、図２に示されるように、２つの親カード１ａ(C6,C7)と、複数の子カード１ｂ(C1,C2,C3,C4,C5)に分類されている。親カード１ａ(C6)は、子カード１ｂ(C1,C2,C3,C4)に対して親カードとなっている。また、親カード１ａ(C7)は、子カード１ｂ(C3,C4,C5)に対して親カードとなっている。各親カード１ａは、子カード１ｂにより当該子カードのポイントを使用可能とする「使用権」が設定されている。そして、親カード１ａ(C7)は、親カード１a(C6)に対して親カードとなっている。この例では、親カード１ａ(C7)は、親カード１a(C6)に付与されたポイントについてのみ使用可能となる「使用権」が設定されている。
【００３２】
図２の各ＩＣカード１においては、ＩＣカード１(C1)には、Ａ店のポイント２０点、Ｂ店のポイント５点が貯められている。
ＩＣカード１(C2)には、Ｂ店のポイント２０点、Ｃ店のポイント１０点が貯められている。
ＩＣカード１(C3)には、Ｃ店のポイント１５点、Ｄ店のポイント５点が貯められている。
ＩＣカード１(C4)には、Ａ店のポイント１０点、Ｄ店のポイント１５点が貯められている。
ＩＣカード１(C5)には、Ａ店のポイント１０点、Ｃ店のポイント１０点が貯められている。
子カード１ｂ(C1,C2,C3,C4)の親カードであるＩＣカード１(C6)には、Ｂ店のポイント１５点、Ｄ店のポイント１５点が貯められている。
子カード１ｂ(C4,C5)及び親カード(C6)の親カードであるＩＣカード１(C7)には、Ａ店のポイント５点、Ｂ店のポイント１５点、Ｃ店のポイント２０点が貯められている。
【００３３】
このような状況の時、Ａ店でポイントを使用する場合、ＩＣカード１(C1)は２０点まで、ＩＣカード１(C4)は１０点まで、親カードであるＩＣカード１(C6)は２０＋１０＝３０点まで、親カードであるＩＣカード１(C7)は１０＋１０＋５＝２５点まで使用することができる。
また、Ｄ店でポイントを使用する場合、ＩＣカード１(C4)は１５点まで、親カードであるＩＣカード１(C7)は５＋１５＋１５＝３５点まで使用することができる。
【００３４】
また、ＩＣカード１にはパスワードを設定することができる。カードの状態を変化させたり、カードの親カードを表示・追加・削除する際は、パスワードを入力する必要がある。
ＩＣカードは「チャージ専用」に設定することもできる。パスワードが設定されている場合、パスワードの入力が必要となる。「チャージ専用」のカードは、ポイントの追加（加算）は可能であるが、「チャージ専用」のカードでポイントを使用することはできないようになっている。
この場合、親カードによるポイントの使用は可能である。ただし、親カードの表示・追加・削除はできない。紛失対策として、パスワードを入力することで「チャージ専用」を解除することできる。
【００３５】
ＩＣカードは、パスワードの入力により「初期化」可能になっている。初期化すると保有する全ポイントを失い、親カードの情報は全て削除され、親子関係のない状態（パスワードのない状態）に戻る。
【００３６】
また、ＩＣカードは、ポイント表示等を禁止する「ロック状態」とすることができる。使う予定がないカードをロック状態としておくことが好ましい。パスワードが設定されている場合、「ロック状態」とするにはパスワードの入力が必要となる。「ロック状態」にすると、そのカードを使ったポイントの加減、親カードの表示・追加・削除はできなくなる。ただし、この場合においても、「ロック状態」とされたカードの親カードによるポイントの使用は可能である。「ロック状態」は、パスワードを入力することで解除できる。
【００３７】
ＩＣカードは、「ロック状態」より更なる使用の制限を受ける「停止状態」にすることができる。パスワードが設定されている場合、「停止状態」とするにはパスワードの入力が必要となる。「停止状態」にすると、そのカードを使ったポイントの加減、親カードの表示・追加・削除はできなくなる。そして、「停止状態」では、「ロック状態」と異なり、親カードによるポイントの使用も禁止される。「停止状態」は、パスワードを入力することで解除できる。
【００３８】
例えば、複数のＩＣカード１について、図３に示されるように、２つの親カード１ａ(C6,C7)と、複数の子カード１ｂ(C1,C2,C3,C4,C5)に分類され、カード同士の親子関係及び各カードのポイント数が図２と同じ状態であるとする。そして、子カード１ｂ(C2,C5)がチャージ専用、子カード１ｂ(C3)が停止状態、子カード１ｂ(C4)がロック状態となっている。
【００３９】
このような状況の時、Ａ店でポイントを使用する場合、ＩＣカード１(C1)はチャージ専用なので０点、ＩＣカード１(C4)はロック状態なので０点、親カードであるＩＣカード１(C6)は２０＋１０＝３０点まで、親カードであるＩＣカード１(C7)は１０＋１０＋５＝２５点まで使用することができる。
また、Ｄ店でポイントを使用する場合、ＩＣカード１(C4)はロック状態なので０点、親カードであるＩＣカード１(C7)は１５＋１５＝３０点（停止状態であるＩＣカード１(C3)の５点は使用できない）まで使用することができる。
【００４０】
次に、複数のＩＣカードにおいて、親子関係を設定する手順について説明する。
親子関係を設定するには、店舗に設置された専用端末を使う方法、PCを使う方法、利用者の携帯端末を使う方法の３つの形態がある。
【００４１】
第一の形態として、店舗に設置されたポイント端末２を使って親子関係を設定する場合について、図４を参照して説明する。専用端末（ポイント端末２）を使うと、次の手順でカードの親子関係を設定できる。
(1)ポイント端末２において、「親子関係の設定」を選択して開始する。
(2)ポイント端末２の表示部に親カードをかざすように指示が表示される（ステップ４１）。
(3)ポイント端末２のデータ入力部に親カードをかざす（ステップ４２）。
(4)親カードのパスワードについて、例えばポイント端末２のキーボードから入力する（ステップ４３）。
(5)ポイント端末２の表示部に子カードをかざすように指示が表示される（ステップ４４）。
(6)ポイント端末２のデータ入力部に子カードをかざす（ステップ４５）。
(7)子カードのパスワードについて、例えばポイント端末２のキーボードから入力する（ステップ４６）。
(8)カード間に親子関係が設定される（ステップ４７）。
【００４２】
第二の形態とし、自宅のPCを使って親子関係を設定する場合について説明する。PCを使うと、次の手順でカードの親子関係を設定できる。
(1)PCにICカードリーダを装着する。
(2)PCにカードの親子関係設定のための専用のアプリを実行する。
(3)PCの表示部に親カードをICカードリーダにかざすように指示が表示される。
(4)親カードをICカードリーダにかざす。
(5)親カードのパスワードについて、例えばPCのキーボードから入力する。
(6)子カードをICカードリーダにかざすように指示が表示される。
(7)子カードをICカードリーダにかざす。
(8)子カードのパスワードについて、例えばポイント端末２のキーボードから入力する。
(9)カード間に親子関係が設定される。
【００４３】
第三の形態として、ICカード読み取り装置のついた携帯端末を使用して親子関係を設定する場合について説明する。携帯端末を使うと、次の手順でカードの親子関係を設定できる。
(1)携帯端末において、カードの親子関係設定のための専用のアプリを実行する。
(2)携帯端末において、ICカードに関するパスワードを入力する。
(3)子カードをICカード読み取り装置にかざすように指示が表示される。
(4)子カードをICカード読み取り装置にかざす。
(5)子カードのパスワードを入力する。
(6) カード間に親子関係が設定される。
【００４４】
次に、親子関係を解消する場合について説明する。親子関係の解消は、自宅のPCや、携帯端末を操作することにより行うことができる。
PC（又は携帯端末）により親子関係を解消する場合について、図５を参照して説明する。
(1)PCにICカードリーダを装着する。
(2)PC（又は携帯端末）にカードの親子関係解消のための専用のアプリを実行する。通常、親子関係の設定及び解消は同じアプリで実行することができる。
(3)PC（又は携帯端末）の表示部に親カードをICカードリーダにかざすように指示が表示される（ステップ５１）。
(4)親カードをICカードリーダにかざす（ステップ５２）。
(5)親カードのパスワードについて、例えばPCのキーボードから入力する（ステップ５３）。
(6)子カードをICカードリーダにかざすように指示が表示される（ステップ５４）。
(7)子カードをICカードリーダにかざす（ステップ５５）。
(8)子カードのパスワードについて、例えばPCのキーボードから入力する（ステップ５６）。
(9)カード間の親子関係が解消される（ステップ５７）。
【００４５】
図５の親子関係解消の例では、子カードを特定するに際して、当該子カードをICカードリーダにかざすことで行ったが、表示画面上で選択するようにしてもよい。この場合、次の手順で行われる。
(1)PCにICカードリーダを装着する。
(2)PC（又は携帯端末）にカードの親子関係解消のための専用のアプリを実行する。通常、親子関係の設定及び解消は同じアプリで実行することができる。
(3)PC（又は携帯端末）の表示部に親カードをICカードリーダにかざすように指示が表示される（ステップ６１）。
(4)親カードをICカードリーダにかざす（ステップ６２）。
(5)親カードのパスワードについて、例えばPCのキーボードから入力する（ステップ６３）。
(6)パスワードが入力された親カードに対して親子関係が設定されている子カードが表示部に表示される（ステップ６４）。
(7)親子関係を解消したい子カードを選択する（ステップ６５）。
(8)子カードのパスワードについて、例えばキーボードから入力する（ステップ６５）。
(9)カード間の親子関係が解消される（ステップ６７）。
【００４６】
上述したポイントカード管理システムによれば、利用者は、多数のポイントカードを携帯していなくとも、親カードとして登録した、ＩＣカード、又はＩＣカードを内蔵した携帯電話端末を１つ携帯していれば、どの店舗でもポイントサービスを受けることができる。
【００４７】
多くの店舗で頻繁に提示する子カードを予めチャージ専用にしておけば、蓄積されたポイントは親カードから引き出すことができる一方で、親カードを万一紛失したとしても、チャージ専用の子カードでポイントを使われてしまうことがない。
親カードを紛失した場合は、この親カードについて、遠隔操作でロック状態とすることで、不正利用を防止することができる。
【００４８】
ポイントカード管理システムは、カードの親子関係によってカード間のポイントをやり取りするため、個人を特定する情報は不要であり、プライバシー保護の点で望ましい。
親カードから子カードのポイントを利用する場合、子カードの識別子情報をシステム側でマスクする処理を行うことによって、プライバシー保護のレベルを上げることができる。これによって、利用者は、自分の購買行動の詳細を追跡されることなく、ポイントサービスを受ける機会を得ることができる。
【００４９】
親カードが、他の親カードの子カードに与えられたポイントを利用することを許可するようにしてもよい。ただし、この場合、子孫に親カードが含まれるような、ループ状の親子関係を定義することは禁止される。
【符号の説明】
【００５０】
１…ＩＣカード、  １ａ…親カード（非接触ＩＣカード）、  １ｂ…子カード（非接触ＩＣカード）、  ２…ポイント端末、  ３…ポイント管理サーバ、  ４…ポイントカードデータベース、  ５…購買行動履歴データベース。
【図１】
2014134849.tif 000003
【図２】
2014134849.tif 000004
【図３】
2014134849.tif 000005
【図４】
2014134849.tif 000006
【図５】
2014134849.tif 000007
【図６】
2014134849.tif 000008